(57)【要約】【課題】ベッドメイキングでしわになりにくいシーツを提供する【解決手段】医療施設用シーツ１は、マットレスを挿入するための開口部２１を有し、開口部２１から挿入されたマットレスを内部に収納可能に袋状に形成され、長方形状の開口部２１の短辺の周縁部は、ニットを素材とした布地２４，２５で形成されている。また医療施設用シーツ１は、長方形状の表布地１０と、開口部２１を有し外周形状が表布地と同じ形状に形成された裏布地２０とを重ね合わせて、互いに対向する辺同士を縫い付けることにより袋状に形成され、表布地１０は、布帛を素材として形成され、長方形状に形成されている裏布地２０において、長方形状を構成する短辺の端縁部を構成する布地２２，２３は、布帛を素材とした布地で形成されている。【選択図】図１
0003181635.tif 000002
【実用新案登録請求の範囲】
【請求項１】
医療施設のベッドのマットレスに被せる医療施設用シーツであって、
前記マットレスを挿入するための開口部を有し、前記開口部から挿入された前記マットレスを内部に収納可能に袋状に形成され、
前記開口部の周縁部の少なくとも一部は、ニットを素材とした布地で形成されている
ことを特徴とする医療施設用シーツ。
【請求項２】
当該医療施設用シーツは、四角形状の表布地と、前記開口部を有し外周形状が前記表布地と同じ形状に形成された裏布地とを重ね合わせて、互いに対向する辺同士を縫い付けることにより袋状に形成され、
前記表布地は、布帛を素材として形成され、
四角形状に形成されている前記裏布地において、四角形状を構成する四辺のうちの少なくとも一辺の端縁部は、布帛を素材とした布地で形成されている
ことを特徴とする請求項１に記載の医療施設用シーツ。
【考案の詳細な説明】
【技術分野】
【０００１】
本考案は、医療施設のベッドのマットレスに被せる医療施設用シーツに関する。
【背景技術】
【０００２】
従来、病院等の医療施設のベッドのマットレスに被せるために用いられるシーツが知られている（例えば、特許文献１を参照）。
【先行技術文献】
【特許文献】
【０００３】
【特許文献１】特開２００２−１６５６８９号公報
【考案の概要】
【考案が解決しようとする課題】
【０００４】
医療施設でのベッドメイキングでは、マットレスにシーツを被せることでシーツがしわにならないように注意しながら作業を行う必要があり、作業効率が悪いという問題があった。
【０００５】
本考案は、こうした問題に鑑みてなされたものであり、ベッドメイキングでしわになりにくいシーツを提供することを目的とする。
【課題を解決するための手段】
【０００６】
上記目的を達成するためになされた請求項１に記載の考案は、医療施設のベッドのマットレスに被せる医療施設用シーツであって、マットレスを挿入するための開口部を有し、開口部から挿入されたマットレスを内部に収納可能に袋状に形成され、開口部の周縁部の少なくとも一部は、ニットを素材とした布地で形成されていることを特徴とする。
【０００７】
このように構成された請求項１に記載の医療施設用シーツでは、開口部の周縁部の少なくとも一部がニットを素材とした布地で形成されている。このため、ベッドメイキングでマットレスを開口部に挿入するときに、開口部の周縁部のニット部分を引っ張って伸ばすことにより開口部の開口面積を広げて、マットレスを内部に収納し易くすることができる。そして、ニット部分を伸ばすことにより開口面積を広げることができるため、マットレスを開口部に挿入するときに、医療施設用シーツにおけるニット部分以外の箇所を変形させることが少なくなる。このため、ニット部分以外の箇所が、しわになりやすい素材で形成された布地であっても、ベッドメイキングでしわになりにくくすることができる。これにより、ベッドメイキングでシーツがしわにならないように注意することが少なくなり、ベッドメイキングでの作業効率を向上させることができる。
【０００８】
また、マットレスを内部に収納した後は、医療施設用シーツにおけるニット部分の引っ張りをやめることで、ニット部分が縮んで開口部の開口面積が小さくなるため、内部に収納されたマットレスが開口部から抜け出ることはない。
【０００９】
なお、医療施設用シーツの洗濯は、長時間かつ高温（例えば、８０℃で１０分間）で行わなければならない。しかし、請求項１に記載の医療施設用シーツでは、開口部の周縁部の伸縮部分はニットを素材とした布地で形成されているため、上記の洗濯によって、上記伸縮部分における伸縮性は損なわれ難い。
【００１０】
また、請求項１に記載の医療施設用シーツにおいて、請求項２に記載のように、当該医療施設用シーツは、四角形状の表布地と、開口部を有し外周形状が表布地と同じ形状に形成された裏布地とを重ね合わせて、互いに対向する辺同士を縫い付けることにより袋状に形成され、表布地は、布帛を素材として形成され、四角形状に形成されている裏布地において、四角形状を構成する四辺のうちの少なくとも一辺の端縁部は、布帛を素材とした布地で形成されているようにしてもよい。
【００１１】
このように構成された請求項２に記載の医療施設用シーツは、外周形状が同じ表布地と裏布地とを重ね合わせて袋状に形成されている。このため、マットレスを内部に収納していない状態で医療施設用シーツを水平面上に広げたときに、医療施設用シーツを、水平面に対して垂直方向に沿って表布地と裏布地とが積み重ねられて且つ平面視したときの形状が四角形になる状態（以下、シート状態という）とすることができる。
【００１２】
ところで、医療施設用シーツを洗濯した後に、この医療施設用シーツの乾燥としわ伸ばしを行うために、ロールアイロナが用いられる。ロールアイロナは、上記シート状態の医療施設用シーツの厚さ程度の間隔が形成されるように対向して配置される一対のローラを互いに反対方向に回転させるように構成されている。すなわち、これら一対のローラの間に上記シート状態の医療施設用シーツを投入することにより、医療施設用シーツの乾燥としわ伸ばしが行われる。
【００１３】
そして、請求項２に記載の医療施設用シーツでは、裏布地において少なくとも一辺の端縁部が布帛を素材とした布地で形成されている。このため、裏布地において布帛を素材とした布地で形成された端縁部では、上記シート状態において、布帛の表布地と布帛の裏布地とが積み重ねられた状態となる。これにより、上記シート状態における端縁部の厚みを、裏布地の端縁部がニットを素材とした布地で形成されている場合と比較して薄くすることができる。
【００１４】
従って、医療施設用シーツをロールアイロナで処理する場合には、上記シート状態の医療施設用シーツの四角形状を構成する四辺のうち、布帛の表布地と布帛の裏布地とが積み重ねられた状態となる端縁部の一辺を先頭にして一対のローラの間に投入するとよい。医療施設用シーツが厚くなるほど、上記シート状態の医療施設用シーツが一対のローラの間を円滑に通過することができずに、ロールアイロナによる処理で医療施設用シーツがしわになり易いからである。
【００１５】
すなわち、請求項２に記載の医療施設用シーツによれば、ロールアイロナに投入するときに先頭側となる端縁部がニットを素材とした布地で形成されている場合と比較して、ロールアイロナによる処理でしわになりにくくすることができる。
【図面の簡単な説明】
【００１６】
【図１】医療施設用シーツ１の平面図および底面図である。
【考案を実施するための形態】
【００１７】
以下に本考案の実施形態について図面とともに説明する。
図１（ａ）は医療施設用シーツ１の平面図、図１（ｂ）は医療施設用シーツ１の底面図である。
【００１８】
医療施設用シーツ１は、医療施設のベッドで用いられるマットレスに被せるものであり、図１（ａ）および図１（ｂ）に示すように、表面を構成する表布地１０と、裏面を構成する裏布地２０とを備えている。
【００１９】
表布地１０は、水平面上に広げて平面視したときの形状が長方形になるように形成された布帛である。本実施形態では、表布地１０の長辺が２００ｃｍ、短辺が１００ｃｍである。
【００２０】
裏布地２０は、水平面上に広げて平面視したときの外周形状が長方形に形成されている。そして、裏布地２０の中央に長方形状の開口部２１が形成されている。長方形状の開口部２１は、その長辺および短辺がそれぞれ、長方形状の裏布地２０の長辺および短辺と平行となるように配置されている。
【００２１】
表布地１０および裏布地２０の外周形状は互いに同じであり、表布地１０と裏布地２０が重ね合わせられ、互いに対向する辺同士が縫い付けられる。これにより医療施設用シーツ１は、開口部２１を有する袋状に形成される。
【００２２】
また裏布地２０は、６枚の布地２２，２３，２４，２５，２６，２７により構成されている。
布地２２，２３は、長方形に形成されており、その長辺の長さが、裏布地２０の長辺と同じとなるように形成された布帛である。
【００２３】
布地２４，２５は、ほぼ長方形に形成されており、その長辺の長さが、裏布地２０の長辺と同じとなるように形成されたニットである。布地２４，２５で用いられているニットは、例えばポリエチレン１００％のトリコットであり、縦方向と横方向の両方で伸縮可能である。
【００２４】
布地２６，２７は、長方形に形成されており、その長辺の長さが、開口部２１の長辺と同じとなるように形成された布帛である。
そして、布地２２における２本の長辺のうちの１辺と、布地２４における２本の長辺のうちの１辺とが縫い付けられることで、長方形状の布地２８が形成される。同様に、布地２３における２本の長辺のうちの１辺と、布地２５における２本の長辺のうちの１辺とが縫い付けられることで、長方形状の布地２９が形成される。
【００２５】
また、布地２６における２本の短辺のうちの１辺と、布地２８における布地２４側の長辺とが縫い付けられるとともに、布地２６における残りの短辺と、布地２９における布地２５側の長辺とが縫い付けられる。なお布地２６は、布地２６における２本の長辺のうちの１辺が布地２８，２９の短辺と直線状に接続されるようにして配置される。
【００２６】
同様に、布地２７における２本の短辺のうちの１辺と、布地２８における布地２４側の長辺とが縫い付けられるとともに、布地２７における残りの短辺と、布地２９における布地２５側の長辺とが縫い付けられる。なお布地２７は、布地２７における２本の長辺のうちの１辺が、布地２８，２９における布地２６の長辺と接続されていない側の短辺と直線状に接続されるようにして配置される。
【００２７】
これにより裏布地２０は、ニットで構成された布地（すなわち、布地２４，２５）が開口部２１の短辺側に配置されるとともに、布帛で構成された布地（すなわち、布地２６，２７）が開口部２１の長辺側に配置されて構成される。さらに裏布地２０は、布帛で構成された布地（すなわち、布地２２，２３）が、裏布地２０の短辺側の端縁部に配置されて構成される。
【００２８】
このように構成された医療施設用シーツ１は、マットレスを挿入するための開口部２１を有し、開口部２１から挿入されたマットレスを内部に収納可能に袋状に形成され、長方形状の開口部２１の短辺の周縁部は、ニットを素材とした布地２４，２５で形成されている。
【００２９】
このため、ベッドメイキングでマットレスを開口部２１に挿入するときに、開口部２１の短辺の周縁部の布地２４，２５を引っ張って伸ばすことにより開口部２１の開口面積を広げて、マットレスを内部に収納し易くすることができる。そして、布地２４，２５を伸ばすことにより開口面積を広げることができるため、マットレスを開口部２１に挿入するときに、医療施設用シーツ１における布地２４，２５以外の箇所を変形させることが少なくなる。このため、布地２４，２５以外の箇所が、しわになりやすい素材で形成された布地であっても、ベッドメイキングでしわになりにくくすることができる。これにより、ベッドメイキングでシーツがしわにならないように注意することが少なくなり、ベッドメイキングでの作業効率を向上させることができる。
【００３０】
また、マットレスを内部に収納した後は、医療施設用シーツ１における布地２４，２５の引っ張りをやめることで、布地２４，２５が縮んで開口部２１の開口面積が小さくなるため、内部に収納されたマットレスが開口部２１から抜け出ることはない。
【００３１】
なお、医療施設用シーツの洗濯は、長時間かつ高温（例えば、８０℃で１０分間）で行わなければならない。しかし、開口部２１の周縁部の伸縮部分（すなわち、布地２４，２５）はニットを素材とした布地で形成されているため、上記の洗濯によって、医療施設用シーツ１の上記伸縮部分における伸縮性は損なわれ難い。
【００３２】
また医療施設用シーツ１は、長方形状の表布地１０と、開口部２１を有し外周形状が表布地と同じ形状に形成された裏布地２０とを重ね合わせて、互いに対向する辺同士を縫い付けることにより袋状に形成され、表布地１０は、布帛を素材として形成され、長方形状に形成されている裏布地２０において、長方形状を構成する短辺の端縁部を構成する布地２２，２３は、布帛を素材とした布地で形成されている。
【００３３】
このため、マットレスを内部に収納していない状態で医療施設用シーツ１を水平面上に広げたときに、医療施設用シーツ１を、水平面に対して垂直方向に沿って表布地１０と裏布地２０とが積み重ねられて且つ平面視したときの形状が長方形になる状態（以下、シート状態という）とすることができる。
【００３４】
ところで、医療施設用シーツ１を洗濯した後に、この医療施設用シーツ１の乾燥としわ伸ばしを行うために、ロールアイロナが用いられる。ロールアイロナは、上記シート状態の医療施設用シーツ１の厚さ程度の間隔が形成されるように対向して配置される一対のローラを互いに反対方向に回転させるように構成されている。すなわち、これら一対のローラの間に上記シート状態の医療施設用シーツ１を投入することにより、医療施設用シーツ１の乾燥としわ伸ばしが行われる。
【００３５】
そして、医療施設用シーツ１では、裏布地２０において短辺の端縁部が布帛を素材とした布地で形成されている。このため、裏布地２０において布帛を素材とした布地で形成された短辺の端縁部では、上記シート状態において、布帛の表布地１０と布帛の裏布地２０とが積み重ねられた状態となる。これにより、上記シート状態における端縁部の厚みを、裏布地２０の端縁部がニットを素材とした布地で形成されている場合と比較して薄くすることができる。
【００３６】
従って、医療施設用シーツ１をロールアイロナで処理する場合には、上記シート状態の医療施設用シーツ１の長方形状を構成する四辺のうち、短辺を先頭にして一対のローラの間に投入するとよい。医療施設用シーツ１が厚くなるほど、上記シート状態の医療施設用シーツ１が一対のローラの間を円滑に通過することができずに、ロールアイロナによる処理で医療施設用シーツ１がしわになり易いからである。
【００３７】
すなわち、医療施設用シーツ１によれば、ロールアイロナに投入するときに先頭側となる端縁部がニットを素材とした布地で形成されている場合と比較して、ロールアイロナによる処理でしわになりにくくすることができる。
【００３８】
以上、本考案の一実施形態について説明したが、本考案は上記実施形態に限定されるものではなく、本考案の技術的範囲に属する限り種々の形態を採ることができる。
例えば上記実施形態では、長方形状の開口部２１の短辺の周縁部が、ニットを素材とした布地２４，２５で形成されているものを示した。しかし、長方形状の開口部２１の長辺の周縁部（すなわち、布地２６，２７）がニットを素材として形成されているようにしてもよい。
【００３９】
また上記実施形態では、開口部２１の形状が長方形であるものを示したが、これに開口部２１の形状が限定されるものではなく、例えば円形および楕円形等であってもよい。
【符号の説明】
【００４０】
１…医療施設用シーツ、１０…表布地、２０…裏布地、２１…開口部、２２，２３，２４，２５，２６，２７…布地
【図１】
0003181635.tif 000003